(57)【要約】【課題】本発明は、管理コスト及び消費電力を低減できる光通信装置を提供することを目的とする。【解決手段】本発明に係る光送信装置は、通信相手装置に光信号を送信する光送信回路と、前記通信相手装置からの光信号を受信する光受信回路と、前記光受信回路が受信した光信号の信号波形から前記通信相手装置の光信号に関する規格情報を取得し、前記規格情報に応じた光信号を送信するように前記光送信回路を制御するコントローラと、を備える。【選択図】図４
2014207383.tif 000002
【特許請求の範囲】
【請求項１】
通信相手装置に光信号を送信する光送信回路と、
前記通信相手装置からの光信号を受信する光受信回路と、
前記光受信回路が受信した光信号の信号波形から前記通信相手装置の光信号に関する規格情報を取得し、前記規格情報に応じた光信号を送信するように前記光送信回路を制御するコントローラと、
を備える光通信装置。
【請求項２】
前記規格情報が、光信号の平均光パワー及び消光比からなる光インターフェース規格であることを特徴とする請求項１に記載の光通信装置。
【請求項３】
前記コントローラは、既存の前記規格情報を複数記憶しており、既存の前記規格情報と前記光受信回路が受信した光信号の信号波形から判断した前記規格情報とを比較して前記通信相手装置の光信号に関する前記規格情報を判断することを特徴とする請求項１又は２に記載の光通信装置。
【請求項４】
光信号を受信した前記光受信回路が出力する受信電気信号を外部に出力し、外部から入力された送信電気信号を前記光送信回路に入力する電気コネクタをさらに備える請求項１から３のいずれかに記載の光通信装置。
【請求項５】
光受信回路が受信した光信号の信号波形から通信相手装置の光信号に関する規格情報を取得し、
前記規格情報に応じた光信号を送信するように光送信回路を制御する制御部を有するコントローラ。
【請求項６】
既存の前記規格情報を複数記憶する記憶部をさらに有しており、
前記制御部は、前記記憶部が記憶する既存の前記規格情報と前記光受信回路が受信した光信号の信号波形から取得した前記規格情報とを比較して前記通信相手装置の光信号に関する前記規格情報を判断することを特徴とする請求項５に記載のコントローラ。
【請求項７】
光受信回路が受信した光信号の信号波形から通信相手装置の光信号に関する規格情報を取得し、
前記規格情報に応じた光信号を送信するように光送信回路を制御する光送信装置の制御方法。
【請求項８】
複数の既存の前記規格情報と前記光受信回路が受信した光信号から取得した前記規格情報とを比較して前記通信相手装置の光信号に関する前記規格情報を判断することを特徴とする請求項７に記載の光送信装置の制御方法。
【請求項９】
コントローラに、光受信回路が受信した光信号の信号波形から通信相手装置の光信号に関する規格情報を取得させ、
前記規格情報に応じた光信号を光送信回路から送信させる機能を実現させるための制御プログラム。
【請求項１０】
複数の既存の前記規格情報と前記光受信回路が受信した光信号の信号波形から取得した前記規格情報とを比較して前記通信相手装置の光信号に関する前記規格情報を判断することを特徴とする請求項９に記載の制御プログラム。
【発明の詳細な説明】
【技術分野】
【０００１】
本発明は、光通信分野における、電気信号と光信号とを相互に変換する光通信装置、これが備えるコントローラ、光通信装置の制御方法、及びその制御プログラムに関する。
【背景技術】
【０００２】
光通信システムにおいて、電気信号と光信号とを相互に変換するモジュールとして光トランシーバが用いられる。光トランシーバは、電気信号から光信号へ変換する光源としてレーザダイオード（ＬＤ；Ｌａｓｅｒ  Ｄｉｏｄｅ）、光信号から電気信号へ変換するデバイスとしてフォトダイオード（ＰＤ；Ｐｈｏｔｏ  Ｄｉｏｄｅ）を搭載している。
【０００３】
そして、光トランシーバが出力する送信光信号及び受信光信号の平均光パワーと消光比は光インターフェース規格で定義されている。図２及び図３は、平均光パワー及び消光比に関する定義を説明する図である。
【０００４】
まず、光インターフェース規格について説明する。光インターフェース規格は複数存在している。図１は、データレート１０Ｇｂｐｓ、伝送距離４０ｋｍの通信で用いる代表的な光インターフェース規格の平均光パワー及び消光比を説明する表である。図１の光インターフェース規格は、１０ＧＢＡＳＥ−ＥＲ（ＩＥＥＥ）とＯＣ−１９２  ＩＲ−２（ＳＯＮＥＴ）である。図１に示すように同じデータレートと伝送距離で合っても複数の光インターフェース規格が存在し、異なる平均光パワーと消光比が定められている。
【０００５】
上述のように、対向する装置と通信するためには、光インターフェース規格に基づいて光トランシーバが出力する光信号の平均光パワーと消光比を管理することが求められる。ここで、消光比を管理する技術が知られている（例えば、特許文献１、２。）。
【０００６】
引用文献１には、マーク率の異なる２つのバースト信号に対する平均光出力パワーの比（電流・光変換効率）とＬＤの消光差に相当する基準電圧との比較に基づいて変調電流を調整し、所望の消光比を維持する技術が記載されている。さらに、引用文献１には、現在のバースト信号に対して算出したマーク率平均光出力パワーと基準電圧との比較からバイアス電流の修正量を決定することで、所望の消光比を維持する技術が記載されている。
【０００７】
引用文献２には、以下の技術が記載される。ある環境温度で、変調効率を変化させて変調電流値（振幅）を掃引しつつ光源の平均光出力レベルの変曲点を探索し、この変曲点での変調電流値を当該環境温度での変調電流値として取得する。そして、環境温度を変化させて再度変曲点での変調電流値と環境温度を取得する。これを繰り返すことで、様々な環境温度に対する変調電流値を記載したテーブルを作成する。ＬＤ動作時には、温度センサで計測される温度でテーブルを参照し、その変調電流値を目標電流とする。
【先行技術文献】
【特許文献】
【０００８】
【特許文献１】特開２００５−０９３５５８号公報
【特許文献２】特開２００４−１２８３２３号公報
【発明の概要】
【発明が解決しようとする課題】
【０００９】
次に、光トランシーバについて説明する。光トランシーバには単一の光インターフェース規格に準拠するシングルレート光トランシーバと、複数の光インターフェース規格に準拠するマルチレート光トランシーバが存在する。光トランシーバを用いた光伝送システムでは、正常な通信を行うため、対向する光トランシーバ同士で光インターフェース規格を一致させる必要がある。
【００１０】
シングルレート光トランシーバは、対向する光トランシーバ毎に光インターフェース規格に適合させるため、光インターフェース規格ごとに異なる製品として、生産や在庫を管理しなければならない。すなわち、シングルレート光トランシーバには管理コストが増加するという課題がある。
【００１１】
一方、マルチレート光トランシーバは複数の光インターフェース規格の中で、最も高度な規格に準拠する。このため一つの光トランシーバで複数の光インターフェース規格に準拠した光トランシーバとの間で正常な通信が可能である。しかし、マルチレート光トランシーバは、対向する光トランシーバが低度な規格に準拠していても、高度な規格で動作するため、消費電力の無駄が発生するという課題がある。
【００１２】
例えば、消光比を例に挙げると、１０ＧＢＡＳＥ−ＥＲ（ＩＥＥＥ）の規格は３．０ｄＢ以上、ＯＣ−１９２  ＩＲ−２（ＳＯＮＥＴ）の規格は８．２ｄＢ以上である。この場合、ＯＣ−１９２  ＩＲ−２（ＳＯＮＥＴ）の方が高度な規格であり、より大きな消光比を必要とする。対向する光トランシーバが１０ＧＢＡＳＥ−ＥＲ（ＩＥＥＥ）に準拠する場合、消光比は３．０ｄＢｍ以上であればよいが、マルチレート光トランシーバは、高度な規格の８．２ｄＢｍ以上で動作することになる。図３の式が示すように平均光パワーを一定と考えた場合、消光比を増加させるには振幅を増加させる必要があり、結果、消光比の増加は、消費電力の増加を意味する。
【００１３】
特許文献１及び２の技術は、消光比を安定化させることはできるが、上述したようなシングルレート光トランシーバのコストの課題及びマルチレート光トランシーバの消費電力の課題を解決することはできない。
【００１４】
本発明は、上述した課題を解決するため、管理コスト及び消費電力を低減できる光通信装置、光通信装置が備えるコントローラ、光通信装置の制御方法、及び制御プログラムを提供することを目的とする。
【課題を解決するための手段】
【００１５】
上記目的を達成するために、本発明に係る光通信装置は、通信相手装置に光信号を送信する光送信回路と、
前記通信相手装置からの光信号を受信する光受信回路と、
前記光受信回路が受信した光信号の信号波形から前記通信相手装置の光信号に関する規格情報を取得し、前記規格情報に応じた光信号を送信するように前記光送信回路を制御するコントローラと、
を備える。
【００１６】
上記目的を達成するために、本発明に係るコントローラは、光受信回路が受信した光信号の信号波形から通信相手装置の光信号に関する規格情報を取得し、前記規格情報に応じた光信号を送信するように光送信回路を制御する制御部を有する。
【００１７】
上記目的を達成するために、本発明に係る光通信装置の制御方法は、光受信回路が受信した光信号の信号波形から通信相手装置の光信号に関する規格情報を取得し、前記規格情報に応じた光信号を送信するように光送信回路を制御する光送信装置の制御方法である。
【００１８】
上記目的を達成するために、本発明に係る制御プログラムは、コントローラに、光受信回路が受信した光信号の信号波形から通信相手装置の光信号に関する規格情報を取得させ、前記規格情報に応じた光信号を光送信回路から送信させる機能を実現させるための制御プログラムである。
【発明の効果】
【００１９】
本発明によれば、管理コスト及び消費電力を低減できる光通信装置、光通信装置が備えるコントローラ、光通信装置の制御方法、及び制御プログラムを提供することができる。
【図面の簡単な説明】
【００２０】
【図１】光インターフェース規格について説明する図である。
【図２】平均光パワー及び消光比に関する定義を説明する図である。
【図３】平均光パワー及び消光比に関する定義を説明する図である。
【図４】本発明に係る光通信装置を説明する図である。
【図５】本発明に係るコントローラを説明する図である。
【図６】本発明に係る光通信装置の制御方法を説明する図である。
【図７】本発明に係る光通信装置である光トランシーバを説明する図である。
【図８】本発明に係る光通信装置の制御方法を説明する図である。
【図９】本発明に係るコントローラを説明する図である。
【図１０】本発明に係る光通信装置である光トランシーバを説明する図である。
【発明を実施するための形態】
【００２１】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２２】
（実施形態１）
図４は、本実施形態の光通信装置３０１を説明する図である。光通信装置３０１は、光送信回路１５１と、光受信回路１５２と、コントローラ１０４と、を備える。光送信回路１５１は、通信相手装置に光信号を送信する。光受信回路１５２は、通信相手装置からの光信号を受信する。コントローラ１０４は、光受信回路１５２が受信した光信号の信号波形から通信相手装置の光信号に関する規格情報を取得し、当該規格情報に応じた光信号を送信するように光送信回路１５１を制御する。
【００２３】
図５は、本実施形態のコントローラ１０４を説明する図である。コントローラ１０４は、光受信回路１５２が受信した光信号の信号波形から通信相手装置の光信号に関する規格情報を取得し、前記規格情報に応じた光信号を送信するように光送信回路１５１を制御する制御部１４を有する。
【００２４】
図６は、本実施形態の光通信装置３０１の制御方法を説明する図である。本制御法は、光受信回路１５２が受信した光信号の信号波形から通信相手装置の光信号に関する規格情報を取得し（ステップＳ０１）、前記規格情報に応じた光信号を送信するように光送信回路１５１を制御する（ステップＳ０２）。
【００２５】
図６の制御方法は、コンピュータに本実施形態の制御プログラムを実行させることで実現できる。本制御プログラムは、コントローラに、光受信回路１５２が受信した光信号の信号波形から通信相手装置の光信号に関する規格情報を取得させ、前記規格情報に応じた光信号を光送信回路１５１から送信させる機能を実現させるための制御プログラムである。
【００２６】
本実施形態では、前記規格情報が、光信号の平均光パワー及び消光比からなる光インターフェース規格であるとして説明する。
【００２７】
コントローラ１０４は、光受信回路が受信した受信光信号の信号波形から通信相手装置（対向装置）の光インターフェース規格を自動判別する。そして、コントローラ１０４は、判別した光インターフェース規格の光信号を受信するように光受信回路１５２を制御し、判別した光インターフェース規格の送信光信号を出力するように光送信回路１５１を制御する。つまり、光通信装置３０１は、対向装置に応じた光インターフェース規格で動作する。例えば、対向装置が高度な光インターフェース規格である場合、光通信装置３０１は当該高度な光インターフェース規格で動作し、対向装置が低度な光インターフェース規格である場合、光通信装置３０１は当該低度な光インターフェース規格で動作する。コントローラ１０４は、光インターフェース規格の判断を自動的に行い、運用者からの設定を必要としない。
【００２８】
上記のように光通信装置３０１は複数の光インターフェース規格に対応可能であるから、シングルレート光トランシーバの課題であった管理コストを低減できる。また、光通信装置３０１は対向装置に応じて光インターフェース規格を柔軟に変更して、例えば、消光比を低下させることもでき、消費電力を低減することもできる。従って、光通信装置３０１を用いることで背景技術で説明した運用方法で管理コストの削減と消費電力の削減の両方を実現可能である。
【００２９】
（実施形態２）
実施形態１で説明した光通信装置３０１が光トランシーバであるとして、さらに詳細に説明する。図７は、本実施形態の光トランシーバ１０１を説明する図である。光トランシーバ１０１は、図４の光通信装置３０１の構成の他に、光信号を受信した光受信回路１５２が出力する受信電気信号ｄ３を外部に出力し、外部から入力された送信電気信号ｄ４を光送信回路１５１に入力する電気コネクタ１０７をさらに備える。
【００３０】
図４で説明した光送信回路１５１は、光送信素子１０２と送信ＩＣ１０５を有する。送信ＩＣ１０５は、コントローラ１０４から光送信素子駆動信号ｄ５の平均パワーと消光比に関する設定値ｃ４を受け取る。設定値ｃ４は、送信光信号ｄ６の波形を任意の光インターフェース規格に適合させるための設定である。そして、送信ＩＣ１０５は、電気コネクタ１０７から届く送信電気信号ｄ４をもとに光送信素子駆動信号ｄ５を生成する。光送信素子１０２は、送信ＩＣ１０５から届く光送信素子駆動信号ｄ５を送信光信号ｄ６に変換する。
【００３１】
図４で説明した光受信回路１５２は、光受信素子１０３と受信ＩＣ１０６を有する。光受信素子１０３は、対向装置１０８の光送信素子１０９から届く受信光信号ｄ１を受信して受信ＩＣ１０６に入力する受信ＩＣ駆動信号ｄ２へ変換する。そして、光受信素子１０３は、受信光信号ｄ１の光パワーの平均値に応じた電圧値ｃ１をコントローラ１０４へ出力する。電圧値ｃ１は、受信光信号ｄ１の平均光パワーを示す情報である。受信ＩＣ１０６は、光受信素子１０３から届く受信ＩＣ駆動信号ｄ２をもとに受信電気信号ｄ３を生成する。そして、受信ＩＣ１０６は、受信光信号ｄ１の波形の振幅値に比例した数値ｃ２をコントローラ１０４に渡す。数値ｃ２は、受信光信号ｄ１の振幅を示す情報である。
【００３２】
コントローラ１０４は、光受信素子１０３から電圧値ｃ１、受信ＩＣ１０６から数値ｃ２を受け取り、対向する光トランシーバ１０８の準拠する光インターフェース規格を判別する。コントローラ１０４は、判別した光インターフェース規格に応じて送信光信号ｄ６の平均光パワーと消光比を計算する。そして、コントローラ１０４は、送信ＩＣ１０５へ送信光信号の平均光パワーと消光比に関する設定値ｃ４を書き込む。また、コントローラ１０４は、設定値ｃ３で受信光信号ｄ１の光インターフェース規格に適合するように受信ＩＣ１０６を設定する。
【００３３】
電気コネクタ１０７は、光トランシーバ１０１の電気インターフェースである。電気コネクタ１０７は、外部装置から入力された送信電気信号ｄ４を送信ＩＣ１０５へ渡し、受信ＩＣ１０６から受信電気信号ｄ３を受け取り外部装置へ渡す。外部装置とは、スイッチやルータ等のネットワーク通信機器である。
【００３４】
対向装置１０８は、他の外部装置に接続する任意の光インターフェース規格に準拠した光トランシーバである。光受信素子１１０は、対向装置１０８の受信側光インターフェースである。光送信素子１０９は、対向装置１０８の送信側光インターフェースである。
【００３５】
続いて、光トランシーバ１０１の動作を図８を用いて説明する。コントローラ１０４は、ステップＳ０１内でステップＳ１１及びステップＳ１２を行う。コントローラ１０４は、受信光信号ｄ１の平均光パワーと消光比を計算する（ステップＳ１１）。そして、コントローラ１０４は、計算した平均光パワーと消光比から対向装置１０８の光インターフェース規格を判断する（ステップＳ１２）。さらに、コントローラ１０４は、ステップＳ０２内でステップＳ１３を行う。コントローラ１０４は、ステップＳ１２で判断した光インターフェース規格に適合する平均光パワーと消光比に関する設定値ｃ４を送信ＩＣ１０５に書き込む（ステップＳ１３）。なお、コントローラ１０４は、ステップＳ０２と平行して、ステップＳ１２で判断した受信光信号ｄ１の光インターフェース規格に適合するように光受信ＩＣ１０６の設定を設定値ｃ３で変更をしてもよい。
【００３６】
各ステップについて詳細に説明する。
［ステップＳ１１］
１−１．光受信素子１０３はコントローラ１０４に受信光信号ｄ１の平均値に比例した電圧値ｃ１を渡す。
１−２．コントローラ１０４は光受信素子１０３から受けた電圧値ｃ１をもとに受信光信号の平均光パワーを計算する。
１−３．光受信素子１０３は受信ＩＣ１０６に、受信ＩＣ駆動信号ｄ２を渡す。
１−４．受信ＩＣ１０６はコントローラ１０４に、受信光信号ｄ１の振幅値に比例した数値ｃ２を渡す。
１−５．コントローラ１０４は受信ＩＣ１０６から受けた数値ｃ２をもとに受信光信号の振幅値を計算する。
１−６．コントローラ１０４は受信光信号ｄ１の平均光パワーと振幅値から消光比を計算する。
【００３７】
［ステップＳ１２］
２−１．コントローラ１０４は計算した平均光パワーと消光比を光インターフェース格で規定される平均光パワー及び消光比と比較し、対向する光トランシーバ１０８の光インターフェース規格を判別する。
例えば、図９のようにコントローラ１０４は既存の規格情報を複数記憶する記憶部１５をさらに有している。そして、制御部１４は、記憶部１５が記憶する既存の規格情報と光受信回路１５２が受信した受信光信号ｄ１の信号波形から取得した規格情報とを比較して通信相手装置（光トランシーバ）１０８の光信号に関する規格情報を判断する。
一例として、記憶部１５が図１の１０ＧＢＡＳＥ−ＥＲ（ＩＥＥＥ）とＯＣ−１９２  ＩＲ−２（ＳＯＮＥＴ）の平均光パワー及び消光比のデータを持っているとする。電圧値ｃ１と数値ｃ２から計算した平均光パワーが０．０ｄＢｍ、消光比が４．０ｄＢであった場合、光トランシーバ１０８が準拠する光インターフェース規格は１０ＧＢＡＳＥ−ＥＲ（ＩＥＥＥ）と判断できる。
２−２．コントローラ１０４は内部に１０ＧＢＡＳＥ−ＥＲ（ＩＥＥＥ）とＯＣ−１９２  ＩＲ−２（ＳＯＮＥＴ）に準拠した平均パワーと消光比の設定値ｃ４を記憶部１５に保持しており、２−１で判別した結果と合致した平均光パワー及び消光比の設定値ｃ４を選択する。
【００３８】
［ステップＳ１３］
３−１．コントローラ１０４は送信ＩＣ１０５に計算した平均パワーと消光比に関する設定値ｃ４を書き込む。
３−２．送信ＩＣ１０５は設定値ｃ４と送信電気信号ｄ４に基づいて、光送信素子駆動信号ｄ５を生成する。
３−３．光送信素子１０３は対向する光トランシーバ１０８の準拠する光インターフェース規格に適合した送信光信号ｄ６を出力する
一例として、コントローラ１０４は、判断した光インターフェース規格が１０ＧＢＡＳＥ−ＥＲ（ＩＥＥＥ）である場合、光送信素子１０２から出力する送信光信号ｄ６が平均光パワー０．０ｄＢｍ、消光比４．０ｄＢとなるように送信ＩＣ１０５に対して設定値ｃ４を設定する。
【００３９】
光トランシーバ１０１は、光トランシーバ１０８の光インターフェース規格に応じて自身の平均光パワーと消光比を自動的に変更することで、背景技術で説明したマルチレート光トランシーバと同様に一つの製品で複数の光インターフェース規格に対応可能である。さらに、光トランシーバ１０１は、光インターフェース規格に応じて消費電力を低減することもできる。よって、管理コストの削減と消費電力の削減を同時に満たすことができる。
【００４０】
（他の実施形態）
図７で説明した光トランシーバ１０１において、光受信素子１０３が行っている受信光信号の平均値に比例した電圧値ｃ１を渡す処理を受信ＩＣ１０６が行ってもよい。また、受信ＩＣ１０６が行っている受信光波形の振幅値に比例した数値ｃ２を渡す処理を光受信素子１０３が行ってもよい。
【００４１】
また、図１０のように、光受信素子１０３とコントローラ１０４間に変換回路１１１を配置し、受信ＩＣ１０６とコントローラ１０４間に変換回路１１２を配置してもよい。変換回路１１１は、受信光信号ｄ１の平均電力に比例した電圧値ｃ１を生成してコントローラ１０４へ渡す処理を行う。変換回路１１２は、受信光信号ｄ１の波形の振幅値に比例した数値ｃ２を生成してコントローラ１０４へ渡す処理を行う。変換回路（１１１、１１２）は、ＦＰＧＡ、論理回路、オペアンプ回路、ＧＰＩＯ又はこれらの組み合わせ回路で実現することができる。
【００４２】
まず、光受信素子１０３が取得した受信光信号ｄ１の平均電力について説明する。光受信素子１０３から得られる情報は“平均電力［ｍＷ］”である。しかし、コントローラ１０４は“デジタル数値”でなければ計算や制御に使うことができない。コントローラ１０４が光受信素子１０３の情報をデジタル値に変換する機能を持っていれば、図７の構成で光トランシーバ１０１を実現できる。しかし、コントローラ１０４が当該機能を持っていない場合、図１０のように変換回路１１１で光受信素子１０３の情報をデジタル値に変換する必要がある。変換回路１１１は、“平均電力［ｍＷ］”を電圧、電流、デジタル値で表現する“デジタル数値”に変換する。
【００４３】
受信ＩＣ１０６が取得する受信光信号ｄ１の振幅値についても同様である。コントローラ１０４が受信ＩＣ１０６の情報をデジタル値に変換する機能を持っていない場合、図１０のように変換回路１１２で受信ＩＣ１０６の情報をデジタル値に変換する必要がある。変換回路１１２は、“電圧振幅［Ｖｐｐ］”を電圧、電流、デジタル値で表現する“デジタル数値”に変換する。
【００４４】
さらに、コントローラ１０４を、ＦＰＧＡ、論理回路、オペアンプ回路、又はこれらの組み合わせ回路で構成することで、以下の処理を行うことができる。
（１）ステップＳ１１の受信光信号の平均値と振幅値から受信光信号の平均光パワーと消光比を計算する処理。
（２）ステップＳ１２の対向する光トランシーバの光インターフェース規格を判別する処理。
（３）ステップＳ１３の光インターフェース規格に適合した平均光パワーと消光比を設定する処理。
なお、コントローラ１０４が値の取得、設定値の書き込みに用いるデータ転送のインターフェースは電圧、電流、デジタル値、論理回路、汎用入出力デバイス（ＧＰＩＯ）で置き換えることができる。
【００４５】
なお、本光トランシーバは、工業用温度規格（−４０℃から８５℃）へ適合するように設計される。
【００４６】
＜本発明の概要＞
以下は、本発明の光通信装置を説明したものである。
＜課題＞
光トランシーバは単体での相互交換が可能なモジュールである。光トランシーバは複数ある光インターフェース規格にそれぞれ適合していることが求められる。現在、光トランシーバに求められる光波インターフェース規格は複数ある。例えば、データレート１０Ｇｂｐｓ、伝送距離４０ｋｍにおける代表例は１０ＧＢＡＳＥ−ＥＲ（ＩＥＥＥ）とＯＣ−１９２  ＩＲ−２（ＳＯＮＥＴ）が存在する。また、低コスト化、低消費電力化が求められる。
本発明の光トランシーバは、光ファイバを伝送する受信光信号の特性を分析して、自身の送信光信号の平均光出力パワーと消光比を適応制御する事を特徴とする。
【００４７】
＜解決手段＞
（付記１）
通信相手装置に光信号を送信する光送信回路と、
前記通信相手装置からの光信号を受信する光受信回路と、
前記光受信回路が受信した光信号の信号波形から前記通信相手装置の光信号に関する規格情報を取得し、前記規格情報に応じた光信号を送信するように前記光送信回路を制御するコントローラと、
を備える光通信装置。
（付記２）
前記規格情報が、光信号の平均光パワー及び消光比からなる光インターフェース規格であることを特徴とする付記１に記載の光通信装置。
（付記３）
前記コントローラは、既存の前記規格情報を複数記憶しており、既存の前記規格情報と前記光受信回路が受信した光信号の信号波形から判断した前記規格情報とを比較して前記通信相手装置の光信号に関する前記規格情報を判断することを特徴とする付記１又は２に記載の光通信装置。
（付記４）
光信号を受信した前記光受信回路が出力する受信電気信号を外部に出力し、外部から入力された送信電気信号を前記光送信回路に入力する電気コネクタをさらに備える付記１から３のいずれかに記載の光通信装置。
（付記５）
光受信回路が受信した光信号の信号波形から通信相手装置の光信号に関する規格情報を取得し、
前記規格情報に応じた光信号を送信するように光送信回路を制御する制御部を有するコントローラ。
（付記６）
前記規格情報が、光信号の平均光パワー及び消光比からなる光インターフェース規格であることを特徴とする付記５に記載のコントローラ。
（付記７）
既存の前記規格情報を複数記憶する記憶部をさらに有しており、
前記制御部は、前記記憶部が記憶する既存の前記規格情報と前記光受信回路が受信した光信号の信号波形から取得した前記規格情報とを比較して前記通信相手装置の光信号に関する前記規格情報を判断することを特徴とする付記５又は６に記載のコントローラ。
（付記８）
光受信回路が受信した光信号の信号波形から通信相手装置の光信号に関する規格情報を取得し、
前記規格情報に応じた光信号を送信するように光送信回路を制御する光送信装置の制御方法。
（付記９）
前記規格情報が、光信号の平均光パワー及び消光比からなる光インターフェース規格であることを特徴とする付記８に記載の光送信装置の制御方法。
（付記１０）
複数の既存の前記規格情報と前記光受信回路が受信した光信号から取得した前記規格情報とを比較して前記通信相手装置の光信号に関する前記規格情報を判断することを特徴とする付記８又は９に記載の光送信装置の制御方法。
（付記１１）
コントローラに、光受信回路が受信した光信号の信号波形から通信相手装置の光信号に関する規格情報を取得させ、
前記規格情報に応じた光信号を光送信回路から送信させる機能を実現させるための制御プログラム。
（付記１２）
前記規格情報が、光信号の平均光パワー及び消光比からなる光インターフェース規格であることを特徴とする付記１１に記載の光送信装置の制御プログラム。
（付記１３）
複数の既存の前記規格情報と前記光受信回路が受信した光信号の信号波形から取得した前記規格情報とを比較して前記通信相手装置の光信号に関する前記規格情報を判断することを特徴とする付記１１又は１２に記載の制御プログラム。
【００４８】
＜効果＞
本発明によれば、対向する光トランシーバの光インターフェース規格を解析し、自動的に自身の平均光パワーと消光比を変更する。よって、従来のマルチレート光トランシーバのように一つの製品で複数の光波形規格に準拠可能であり、かつ、従来のシングルレート光トランシーバのように消費電力を低く抑えることができる。
【符号の説明】
【００４９】
１４：制御部
１５：記憶部
１０１：光トランシーバ
１０２：光送信素子
１０３：光受信素子
１０４：コントローラ
１０５：送信ＩＣ
１０６：受信ＩＣ
１０７：電気コネクタ
１０８：光トランシーバ、対向装置
１０９：光送信素子
１１０：光受信素子
１１１、１１２：変換回路
１５１：光送信回路
１５２：光受信回路
３０１：光通信装置
【図１】
2014207383.tif 000003
【図２】
2014207383.tif 000004
【図３】
2014207383.tif 000005
【図４】
2014207383.tif 000006
【図５】
2014207383.tif 000007
【図６】
2014207383.tif 000008
【図７】
2014207383.tif 000009
【図８】
2014207383.tif 000010
【図９】
2014207383.tif 000011
【図１０】
2014207383.tif 000012